(57)【要約】【課題】複数の熱交換ユニットと複数の管板とを備える継ぎ足し構造の熱交換器の組み立てを容易にする。【解決手段】熱交換器１０は、下方の熱交換ユニット１０ａと、下方の管板１１と、上方の熱交換ユニット１０ｂと、上方の管板１２とを備える。下方の管板１１は、下方の熱交換ユニット１０ａの伝熱管１３ａを固定する。上方の熱交換ユニット１０ｂは、下方の熱交換ユニット１０ａと別体であり、下方の熱交換ユニット１０ａの上端部に連続する。上方の管板１２は、下方の管板１１と別体であり、本体部１２ａ，１２ｂ，１２ｃと、延長部１２ｄとを有する。本体部１２ａは、上方の熱交換ユニット１０ｂの伝熱管１３ｂを固定する。延長部１２ｄは、本体部１２ｂ，１２ｃから下方の管板１１に当接するように下方の管板１１に向けて伸びる。【選択図】図９
2008133995.tif 000002
【特許請求の範囲】
【請求項１】
第１熱交換ユニット（１０ａ）と、
前記第１熱交換ユニットの伝熱管（１３ａ）を固定する第１管板（１１）と、
前記第１熱交換ユニットと別体であり、前記第１熱交換ユニットの端部に連続する第２熱交換ユニット（１０ｂ）と、
前記第１管板と別体であり、前記第２熱交換ユニットの伝熱管（１３ｂ）を固定する本体部（１２ａ，１２ｂ，１２ｃ）と、前記本体部から前記第１管板に当接するように前記第１管板に向けて伸びる延長部（１２ｄ）とを有する第２管板（１２）と、
を備える、
空調ユニットの熱交換器（１０）。
【請求項２】
前記第１管板（１１）は、前記第１熱交換ユニット（１０ａ）の伝熱管（１３ａ）に貫通される第１底面部（１１ａ）と、前記第１底面部に連続する第１側壁部（１１ｂ，１１ｃ）とを有し、
前記本体部（１２ａ，１２ｂ，１２ｃ）は、前記第２熱交換ユニット（１０ｂ）の伝熱管（１３ｂ）に貫通される第２底面部（１２ａ）と、前記第２底面部に連続する第２側壁部（１２ｂ，１２ｃ）とを有し、
前記延長部（１２ｄ）は、前記第２側壁部から伸びており、前記第２底面部から伸びていない、
請求項１に記載の空調ユニットの熱交換器（１０）。
【請求項３】
前記延長部（１２ｄ）の外側の面は、前記第１側壁部（１１ｂ，１１ｃ）の内側の面に当接する、
請求項２に記載の空調ユニットの熱交換器（１０）。
【請求項４】
前記延長部（１２ｄ）は、前記第１側壁部（１１ｂ，１１ｃ）の板厚分だけ前記第２側壁部（１２ｂ，１２ｃ）よりも内側に折れ曲がっており、
前記第１側壁部と前記第２側壁部とは、略同一平面上に配置される、
請求項３に記載の空調ユニットの熱交換器（１０）。
【請求項５】
前記第２熱交換ユニット（１０ｂ）は、前記第１熱交換ユニットの上端部または下端部に連続し、前記第１熱交換ユニット（１０ａ）よりも上下方向に短く、
前記延長部（１２ｄ）は、前記本体部（１２ａ，１２ｂ，１２ｃ）から前記第１管板に当接するように前記第１管板に向けて下方または上方に伸び、
前記本体部は、前記第１管板（１１）よりも上下方向に短い、
請求項１から４のいずれかに記載の空調ユニットの熱交換器（１０）。
【請求項６】
前記第２熱交換ユニット（１０ｂ）は、前記第１熱交換ユニット（１０ａ）の上端部に連続し、
前記延長部（１２ｄ）は、前記本体部（１２ａ，１２ｂ，１２ｃ）から下方に伸びている、
請求項５に記載の空調ユニットの熱交換器（１０）。
【請求項７】
前記第１管板（１１）および前記第２管板（１２）に当接する板状部材（１４ａ）と、前記板状部材および前記第１管板を貫通する第１締結部材（１４ｂ）と、前記板状部材および前記第２管板を貫通する第２締結部材（１４ｃ）とを有する補強部材（１４）、
をさらに備える、
請求項１から６のいずれかに記載の空調ユニットの熱交換器（１０）。
【請求項８】
前記延長部（１２ｄ）と前記第１管板（１１）とを貫通する第３締結部材（１５）、
をさらに備える、
請求項１から７のいずれかに記載の空調ユニットの熱交換器（１０）。
【請求項９】
請求項１から８のいずれかに記載の熱交換器（１０）と、
前記熱交換器を収納し、前記第２管板（１２）に第４締結部材（１６）を介して固定されるケーシング（６）と、
を備える、空調ユニット。
【発明の詳細な説明】
【技術分野】
【０００１】
本発明は、熱交換器およびこれを備える空調ユニットに関し、特に、複数の熱交換ユニットと複数の管板とを備える継ぎ足し構造の熱交換器およびこれを備える空調ユニットに関する。
【背景技術】
【０００２】
通常、空調ユニットの能力は、冷媒回路部品である熱交換器の容量に影響されることになる。例えば、特許文献１に示される空調ユニットにおいても、目標となる能力に見合うように設計された熱交換器が用いられている。
【０００３】
したがって、従来、建物の増改築などに伴って既設の空調ユニットの能力を増加させる場合、あるいは、開発過程において既設計の空調ユニットよりも高い能力の空調ユニットを新たに設計する場合には、実現したい能力に見合う容量の熱交換器を新たに設計する必要がある。
【特許文献１】特開２００５−７６９２４号公報
【発明の開示】
【発明が解決しようとする課題】
【０００４】
ところで、このような従来の方式で空調ユニットの容量を増量する場合、既設計の熱交換器が無駄になってしまう。そこで、出願人は、熱交換器を継ぎ足し構造とし、既設計の熱交換器を流用してより高容量の熱交換器を組み立てることを提案した（特願２００６−３１９５８８）。しかしながら、この場合、熱交換器を構成する複数の熱交換ユニットや複数の管板などの部品どうしの位置合わせが正確になされないままに組み立てられてしまうと、熱交換器全体の強度が十分に確保されないことが懸念される。
【０００５】
本発明の課題は、複数の熱交換ユニットと複数の管板とを備える継ぎ足し構造の熱交換器の組み立てを容易にすることにある。
【課題を解決するための手段】
【０００６】
第１発明にかかる空調ユニットの熱交換器は、第１熱交換ユニットと、第１管板と、第２熱交換ユニットと、第２管板とを備える。第１管板は、第１熱交換ユニットの伝熱管を固定する。第２熱交換ユニットは、第１熱交換ユニットと別体であり、第１熱交換ユニットの端部に連続する。第２管板は、第１管板と別体であり、本体部と、延長部とを有する。本体部は、第２熱交換ユニットの伝熱管を固定する。延長部は、本体部から第１管板に当接するように第１管板に向けて伸びる。
【０００７】
この熱交換器は、継ぎ足し構造となっており、２つの熱交換ユニット（第１熱交換ユニットおよび第２熱交換ユニット）と２つの管板（第１管板および第２管板）とを備えている。そして、一方の管板（第２管板）の本体部からは、他方の管板（第１管板）に向けて延長部が伸びており、この第２管板の延長部が第１管板に当接する。したがって、２つの管板どうしの位置決めを容易に行うことができる。これにより、複数の熱交換ユニットと複数の管板とを備える継ぎ足し構造の熱交換器を容易に組み立てることができる。
【０００８】
第２発明にかかる空調ユニットの熱交換器は、第１発明にかかる空調ユニットの熱交換器であって、第１管板は、第１底面部と、第１側壁部とを有する。第１底面部は、第１熱交換ユニットの伝熱管に貫通される。第１側壁部は、第１底面部に連続する。本体部は、第２底面部と、第２側壁部とを有する。第２底面部は、第２熱交換ユニットの伝熱管に貫通される。第２側壁部は、第２底面部に連続する。延長部は、第２側壁部から伸びており、第２底面部から伸びていない。
【０００９】
この熱交換器では、２つの管板がともに、伝熱管に貫通される底面部と、当該底面部に連続する側壁部とを有している。そして、一方の管板（第２管板）の側壁部からのみ、他方の管板（第１管板）に向けて延長部が伸びている。したがって、２つの管板は、互いにはめ込みやすく、ずれにくくなっている。
【００１０】
第３発明にかかる空調ユニットの熱交換器は、第２発明にかかる空調ユニットの熱交換器であって、延長部の外側の面は、第１側壁部の内側の面に当接する。
【００１１】
この熱交換器では、一方の管板（第２管板）の側壁部から伸びる延長部の外側の面が、他方の管板（第１管板）の側壁部の内側の面と当接する。すなわち、一方の管板（第２管板）の延長部が他方の管板（第１管板）に挿入されるようになっている。これにより、２つの管板どうしの位置決めをより正確に行うことができる。
【００１２】
第４発明にかかる空調ユニットの熱交換器は、第３発明にかかる空調ユニットの熱交換器であって、延長部は、第１側壁部の板厚分だけ第２側壁部よりも内側に折れ曲がっている。第１側壁部と第２側壁部とは、略同一平面上に配置される。
【００１３】
この熱交換器では、２つの管板の側壁部が略面一となっている。これにより、熱交換器の外形が整然とされる。
【００１４】
第５発明にかかる空調ユニットの熱交換器は、第１発明から第４発明のいずれかにかかる空調ユニットの熱交換器であって、第２熱交換ユニットは、第１熱交換ユニットの上端部または下端部に連続し、第１熱交換ユニットよりも上下方向に短い。延長部は、本体部から第１管板に当接するように第１管板に向けて下方または上方に伸びる。本体部は、第１管板よりも上下方向に短い。
【００１５】
この熱交換器では、２つの管板のうち短い方の管板、すなわち、通常、新たに継ぎ足す方の管板に延長部が設けられている。したがって、既設計の管板に細工を施す必要がない。これにより、継ぎ足し構造の熱交換器を容易に設計することができる。
【００１６】
第６発明にかかる空調ユニットの熱交換器は、第５発明にかかる空調ユニットの熱交換器であって、第２熱交換ユニットは、第１熱交換ユニットの上端部に連続する。延長部は、本体部から下方に伸びている。
【００１７】
この熱交換器では、２つの管板のうち短い方の管板、すなわち、通常、新たに継ぎ足す方の管板が、長い方の管板、すなわち、通常、既設計の方の管板の上方に配置される。これにより、熱交換器全体としての強度が確保される。
【００１８】
第７発明にかかる空調ユニットの熱交換器は、第１発明から第６発明のいずれかにかかる空調ユニットの熱交換器であって、補強部材をさらに備える。補強部材は、板状部材と、第１締結部材と、第２締結部材とを有する。板状部材は、第１管板および第２管板に当接する。第１締結部材は、板状部材および第１管板を貫通する。第２締結部材は、板状部材および第２管板を貫通する。
【００１９】
この熱交換器では、２つの管板の双方に板状部材を当て、各管板について管板および板状部材の両者を貫通するようにビスなどの締結部材を打ち込むことにより、２つの管板がより強固に固定されている。これにより、２つの管板の相対位置がより安定し、熱交換器全体としての強度がより向上する。
【００２０】
第８発明にかかる空調ユニットの熱交換器は、第１発明から第７発明のいずれかにかかる空調ユニットの熱交換器であって、第３締結部材をさらに備える。第３締結部材は、延長部および第１管板を貫通する。
【００２１】
この熱交換器では、２つの管板の双方を貫通するようにビスなどの締結部材を打ち込むことにより、２つの管板がより強固に固定されている。これにより、２つの管板の相対位置がより安定し、熱交換器全体としての強度がより向上する。
【００２２】
第９発明にかかる空調ユニットは、第１発明から第８発明のいずれかにかかる熱交換器と、ケーシングとを備える。ケーシングは、熱交換器を収納し、第２管板に第４締結部材を介して固定される。
【００２３】
この空調ユニットの熱交換器は、継ぎ足し構造となっており、２つの熱交換ユニット（第１熱交換ユニットおよび第２熱交換ユニット）と２つの管板（第１管板および第２管板）とを備えている。そして、一方の管板（第２管板）の本体部からは、他方の管板（第１管板）に向けて延長部が伸びており、この第２管板の延長部が第１管板に当接する。したがって、２つの管板どうしの位置決めを容易に行うことができる。これにより、複数の熱交換ユニットと複数の管板とを備える継ぎ足し構造の熱交換器を容易に組み立てることができる。また、一方の管板（第２管板）とケーシングとがビスなどの締結部材によって固定されており、熱交換器全体としての強度がより向上する。
【発明の効果】
【００２４】
第１発明によれば、複数の熱交換ユニットと複数の管板とを備える継ぎ足し構造の熱交換器を容易に組み立てることができる。
【００２５】
第２発明によれば、２つの管板は、互いにはめ込みやすく、ずれにくくなっている。
【００２６】
第３発明によれば、２つの管板どうしの位置決めをより正確に行うことができる。
【００２７】
第４発明によれば、熱交換器の外形が整然とされる。
【００２８】
第５発明によれば、継ぎ足し構造の熱交換器を容易に設計することができる。
【００２９】
第６発明によれば、熱交換器全体としての強度が確保される。
【００３０】
第７発明によれば、２つの管板の相対位置がより安定し、熱交換器全体としての強度がより向上する。
【００３１】
第８発明によれば、２つの管板の相対位置がより安定し、熱交換器全体としての強度がより向上する。
【００３２】
第９発明によれば、複数の熱交換ユニットと複数の管板とを備える継ぎ足し構造の熱交換器を容易に組み立てることができる。また、熱交換器全体としての強度がより向上する。
【発明を実施するための最良の形態】
【００３３】
以下、図面を参照して、本発明の一実施形態にかかる空気調和装置の室外ユニット（空調ユニット）２について説明する。
【００３４】
＜室外ユニットの構成＞
図１および図２は、室外ユニット２の外観斜視図であり、図３は、室外ユニット２の分解斜視図である。なお、本明細書中、室外ユニット２について「正面」とは、ファングリル３４ａ，３４ｂが配置されている面を意味し、「背面」とは「正面」に対向する面を意味するものとする。また、室外ユニット２について「右」とは、室外ユニット２を正面側から見た場合の右を意味し、「左」とは、室外ユニット２を正面側から見た場合の左を意味するものとする。
【００３５】
室外ユニット２は、室外ユニット２よりも低容量の室外ユニット２０２の部品を流用して製造される、室外ユニット２０２よりも高容量の室外ユニットである。図４および図５は、室外ユニット２０２の外観斜視図である。室外ユニット２に含まれる部品のうち室外ユニット２０２から流用されている部品は、ケーシング６の一部である下方側面板２０ａ，２２ａ、下方背面グリル２３ａ、底面板２４および天面板２５、熱交換器１０の一部である下方の熱交換ユニット１０ａおよび下方の管板１１、ステー２７の一部である下方ステー２７ａ、ファン４１ａ，４１ｂなどである。
【００３６】
（１）フレーム構造体
室外ユニット２の骨格となるフレーム構造体５は、主として、略直方体形状のケーシング６と、ケーシング６の内部空間内において上下に伸びる仕切部材２６と、同じくケーシング６の内部空間内において上下に伸びるステー２７とから構成されている。
【００３７】
ａ）ケーシング
ケーシング６は、主として、側面板２０，２１，２２、背面グリル２３、底面板２４および天面板２５から構成されている。
【００３８】
側面板２０は、室外ユニット２の正面の左寄りの部分および左側面を形成するＬ字形状に折り曲げられた板部材であり、送風機室Ｓ１（図６参照）を囲んでおり、底面板２４から天面板２５まで伸びている。側面板２０は、主として、室外ユニット２０２の部品でもある下方側面板２０ａと、下方側面板２０ａの上端部に連続するように室外ユニット２の組み立て時に継ぎ足された上方側面板２０ｂとから構成されている。そして、下方側面板２０ａの上端部および上方側面板２０ｂの上端部は、天面板２５の正面側の左寄りの部位および左側面側の部位と係合可能な形状を有しており、天面板２５の当該部位は、室外ユニット２０２の組み立て時には下方側面板２０ａの上端部に係合され、室外ユニット２の組み立て時には上方側面板２０ｂの上端部に係合されることになる。また、下方側面板２０ａのうち室外ユニット２の正面を形成する部位には、上下方向に並ぶ略矩形形状の開口が２箇所設けられており、これらの２箇所の開口を覆うようにして２つのファングリル３４ａ，３４ｂが取り付けられている。そして、送風機室Ｓ１内には、これらの２つのファングリル３４ａ，３４ｂに向かい合うようにして、２つのファン４１ａ，４１ｂが配置されている。ファン４１ａ，４１ｂは、プロペラファンであり、ステー２７に固定されるモータ台に支持されている。また、側面板２０のうち室外ユニット２の左側面を形成する部位には、複数の開口が設けられており、当該部位は、全体として格子状になっている。
【００３９】
側面板２１は、室外ユニット２の正面の右寄りの部分および右側面の正面寄りの部分を形成するＬ字形状に折り曲げられた板部材であり、機械室Ｓ２（図６参照）を囲んでいる。側面板２１は、継ぎ目のない一枚ものの板部材から成形されており、底面板２４から天面板２５まで伸びている。
【００４０】
側面板２２は、室外ユニット２の右側面の背面寄りの部分および背面の右側面寄りの部分を形成するＬ字形状に折り曲げられた板部材であり、機械室Ｓ２を囲んでおり、底面板２４から天面板２５まで伸びている。側面板２２は、主として、室外ユニット２０２の部品でもある下方側面板２２ａと、下方側面板２２ａの上端部に連続するように室外ユニット２の組み立て時に継ぎ足された上方側面板２２ｂとから構成されている。そして、下方側面板２２ａの上端部および上方側面板２２ｂの上端部は、天面板２５の背面側の右寄りの部位および右側面側の背面寄りの部位と係合可能な形状を有しており、天面板２５の当該部位は、室外ユニット２０２の組み立て時には下方側面板２２ａの上端部に係合され、室外ユニット２の組み立て時には上方側面板２２ｂの上端部に係合されることになる。
【００４１】
背面グリル２３は、室外ユニット２の背面の左寄りの部分を形成しており、送風機室Ｓ１を囲んでおり、底面板２４から天面板２５まで伸びている。背面グリル２３は、主として、室外ユニット２０２の部品でもある下方背面グリル２３ａと、下方背面グリル２３ａの上方に位置するように室外ユニット２の組み立て時に継ぎ足された上方背面グリル２３ｂとから構成されている。上方背面グリル２３ｂは、下方背面グリル２３ａと隙間を空けて配置される。そして、天面板２５の背面側の左寄りの部位には、孔７１が設けられており、下方背面グリル２３ａの上端部には、天面板２５の孔７１に引っ掛けることが可能な掛かり爪７２が設けられており、上方背面グリル２３ｂの上端部には、天面板２５の孔７１に引っ掛けることが可能な掛かり爪７３が設けられている。天面板２５の孔７１には、室外ユニット２０２の組み立て時においては下方背面グリル２３ａの掛かり爪７２が引っ掛けられ、室外ユニット２の組み立て時においては上方背面グリル２３ｂの掛かり爪７３が引っ掛けられることになる。下方背面グリル２３ａおよび上方背面グリル２３ｂは、格子状に組まれた金属製のワイヤにポリプロピレン樹脂製の枠を取り付けた構造となっている。
【００４２】
そして、下方背面グリル２３ａと上方背面グリル２３ｂとの隙間には、補強板２９が配置されている。補強板２９の右端は、下方側面板２２ａおよび上方側面板２２ｂとともにビスで締結されており、補強板２９の左端は、下方側面板２０ａおよび上方側面板２０ｂとともにビスで締結されている。すなわち、補強板２９は、側面板２０から側面板２２へと架設されることにより、継ぎ足し構造のケーシング６の強度を向上させる役割を果たしている。そして、補強板２９には、下方背面グリル２３ａの掛かり爪７２が引っ掛けられる孔７４が設けられており、下方背面グリル２３ａは、補強板２９に吊り下げられることになる。
【００４３】
底面板２４は、室外ユニット２の底面を形成する板部材であり、天面板２５は、室外ユニット２の天面を形成する板部材である。
【００４４】
ｂ）仕切部材
仕切部材２６は、継ぎ目のない一枚ものの板部材から成形されており、ケーシング６の内部空間内に配置され、底面板２４から天面板２５まで伸びている。仕切部材２６は、図６に示すように、熱交換器１０の管板１１，１２（後述する）とともに、ケーシング６の内部空間を左側の送風機室Ｓ１と右側の機械室Ｓ２とに分離している。送風機室Ｓ１には、熱交換器１０およびファン４１ａ，４１ｂが配置されており、右側の機械室Ｓ２には、圧縮機４３、配管アセンブリ４および電装品ユニット４２が配置されている。配管アセンブリ４は、レシーバ４０や図示されない冷媒配管などをまとめたものであり、互いに適当な固定部材で固定されている。電装品ユニット４２は、制御基板や、圧縮機４３およびファン４１ａ，４１ｂをインバータ制御するインバータ基板などをまとめたものであり、圧縮機４３および配管アセンブリ４を避けて仕切部材２６の上部付近に支持されている。
【００４５】
ｃ）ステー
ステー２７は、送風機室Ｓ１内に配置されており、上下方向に並ぶ２つのファン４１ａ，４１ｂのモータ台を支持している。ステー２７は、底面板２４に支持されており、天面板２５付近まで伸びている。そして、ステー２７と天面板２５との間には、図示されないシール部材が両者２５，２７に当接するように配置されている。ステー２７は、主として、室外ユニット２０２の部品でもある下方ステー２７ａと、下方ステー２７ａの上端部に連続するように室外ユニット２の組み立て時に継ぎ足された上方ステー２７ｂとから構成されている。
【００４６】
（２）熱交換器
図６に示すように、熱交換器１０は、送風機室Ｓ１内に配置されており、平面視において緩やかに湾曲した湾曲部を有するＬ字形状を有しており、背面グリル２３と、側面板２０のうち室外ユニット２の左側面を形成する部位とに向かい合っている。室外ユニット２の駆動時にファン４１ａ，４１ｂが回転駆動されると、背面グリル２３のグリル穴と、側面板２０のうち室外ユニット２の左側面を形成する部位に設けられている複数の開口とを介して、送風機室Ｓ１内に空気が流入する。そして、送風機室Ｓ１内に流入した空気は、熱交換器１０を背面側から正面側へと通り抜けながら熱交換器１０の伝熱管１３ａ，１３ｂ内を流れる冷媒との間で熱交換を行い、その後、下方側面板２０ａのファングリル３４ａ，３４ｂのグリル穴を介してケーシング６外へと放出される。
【００４７】
図７から図９に示すように、熱交換器１０は、室外ユニット２０２の部品でもある下方の熱交換ユニット１０ａと、下方の熱交換ユニット１０ａの上端部に連続するように室外ユニット２の組み立て時に継ぎ足された上方の熱交換ユニット１０ｂとを備えている。下方の熱交換ユニット１０ａと上方の熱交換ユニット１０ｂとは、平面視において略同じ形状を有している。下方側面板２０ａ，２２ａおよび下方背面グリル２３ａは、下方の熱交換ユニット１０ａに対向しており、上方側面板２０ｂ，２２ｂおよび上方背面グリル２３ｂは、上方の熱交換ユニット１０ｂに対向している。
【００４８】
下方の熱交換ユニット１０ａは、主として、横方向に伸びる６０段の伝熱管１３ａと、６０段の伝熱管１３ａが挿入され、縦方向に伸びる板状の複数の放熱フィンとから構成されている。一方、上方の熱交換ユニット１０ｂは、主として、横方向に伸びる１２段の伝熱管１３ｂと、１２段の伝熱管１３ｂが挿入され、縦方向に伸びる板状の複数の放熱フィンとから構成されている。したがって、熱交換ユニット１０ｂは、熱交換ユニット１０ａよりも上下方向に短く、熱交換ユニット１０ａ対熱交換ユニット１０ｂの上下方向の長さの比率は、概ね６０：１２となっている。
【００４９】
なお、同様に、下方側面板２０ａ対上方側面板２０ｂ、下方側面板２２ａ対上方側面板２２ｂ、下方背面グリル２３ａ対上方背面グリル２３ｂ、および下方ステー２７ａ対上方ステー２７ｂの上下方向の長さの比率も、概ね６０：１２となっており、これらの部材２０，２２，２３，２７は、上方が下方よりも短くなっている。
【００５０】
また、熱交換器１０は、室外ユニット２０２の部品でもある下方の管板１１と、下方の管板１１の上端部に連続するように室外ユニット２の組み立て時に継ぎ足された上方の管板１２とをさらに備えている。管板１１，１２は、それぞれ平面視においてＬ字形状の熱交換ユニット１０ａ，１０ｂの右端部に取り付けられており、平面視において互いに略同じ形状を有している。
【００５１】
管板１１，１２には、それぞれ複数の円孔が設けられており、下方の管板１１の円孔には、下方の熱交換ユニット１０ａの伝熱管１３ａが挿入され、上方の管板１２の円孔には、上方の熱交換ユニット１０ｂの伝熱管１３ｂが挿入される（図８参照）。このように、管板１１，１２は、それぞれ熱交換ユニット１０ａ，１０ｂの伝熱管１３ａ，１３ｂを固定する役割を果たしている。また、管板１１，１２は、仕切部材２６の背面側の端部に隣接するように配置され、上述したように、仕切部材２６とともにケーシング６の内部空間を左側の送風機室Ｓ１と右側の機械室Ｓ２とに分離している。
【００５２】
下方の管板１１は、底面部１１ａと、正面側側壁部１１ｃと、背面側側壁部１１ｂとを有しており、１枚の縦長の板部材をその横方向の両端部（正面側側壁部１１ｃおよび背面側側壁部１１ｂとなる部位）を同じ方向に略９０°折り曲げることにより成形される。すなわち、下方の管板１１は、全体として溝形状を有しており、正面側側壁部１１ｃおよび背面側側壁部１１ｂは、それぞれ底面部１１ａの正面側の端部および背面側の端部に連続している。
【００５３】
一方、上方の管板１２は、底面部１２ａと、正面側側壁部１２ｃと、背面側側壁部１２ｂとを有しており、１枚の縦長の板部材をその横方向の両端部（正面側側壁部１２ｃおよび背面側側壁部１２ｂとなる部位）を同じ方向に略９０°折り曲げることにより成形される。すなわち、上方の管板１２も、下方の管板１１と同様に、全体として溝形状を有しており、正面側側壁部１２ｃおよび背面側側壁部１２ｂは、それぞれ底面部１２ａの正面側の端部および背面側の端部に連続している。
【００５４】
また、上方の管板１２は、底面部１２ａ、正面側側壁部１２ｃおよび背面側側壁部１２ｂからなる本体部に連続する延長部１２ｄ，１２ｄをさらに有している。延長部１２ｄ，１２ｄは、それぞれ正面側側壁部１２ｃおよび背面側側壁部１２ｂの下端部から正面側側壁部１２ｃおよび背面側側壁部１２ｂに平行になるように下方に伸びており、底面部１２ａに直交している。すなわち、上方の管板１２は、その本体部を下方に延長した形状を有しており、より詳細には、底面部１２ａ以外の正面側側壁部１２ｃおよび背面側側壁部１２ｂのみを下方に延長した形状を有している。なお、延長部１２ｄ，１２ｄは、それぞれその上端部（すなわち、本体部との境界部位）が内側に折れ曲がっており、当該上端部以外の平らな部位が正面側側壁部１２ｃおよび背面側側壁部１２ｂよりも下方の管板１１の正面側側壁部１１ｃおよび背面側側壁部１１ｂの板厚分だけ内側に配置されている。
【００５５】
そして、下方の管板１１に上方の管板１２が継ぎ足された状態においては、上方の管板１２の延長部１２ｄ，１２ｄの外側の面Ｆ１，Ｆ１は、それぞれ下方の管板１１の正面側側壁部１１ｃおよび背面側側壁部１１ｂの内側の面Ｆ２，Ｆ２に当接するようになっている。すなわち、室外ユニット２の組み立て時においては、上方の管板１２の延長部１２ｄ，１２ｄが、下方の管板１１に挿入されることになる。また、このとき、延長部１２ｄ，１２ｄがそれぞれ正面側側壁部１１ｃおよび背面側側壁部１１ｂの板厚分だけ内側に折れ曲がっているため、下方の管板１１の正面側側壁部１１ｃと上方の管板１２の正面側側壁部１２ｃとが略同一平面上に配置されることになり、下方の管板１１の背面側側壁部１１ｂと上方の管板１２の背面側側壁部１２ｂとが略同一平面上に配置されることになる。また、上方の管板１２の延長部１２ｄ，１２ｄは、底面部１２ａ側から下方の管板１１の底面部１１ａの板厚分だけ削られており、上方の管板１２の底面部１２ａと下方の管板１１の底面部１１ａとが、略同一平面上に配置されるようになっている。これにより、下方の管板１１と上方の管板１２とが互いに位置合わせされるとともに、管板１１，１２にそれぞれ固定される熱交換ユニット１０ａ，１０ｂも互いに位置合わせされることになる。
【００５６】
さらに、熱交換器１０には、熱交換ユニット１０ａ，１０ｂおよび管板１１，１２間の連結をより強固なものとするために、補強部材１４やビス１５が取り付けられている。すなわち、Ｌ字形状に折り曲げられた板状部材１４ａが、下方の管板１１の正面側のコーナー（底面部１１ａと正面側側壁部１１ｃとの境界部位）と、上方の管板１２の正面側のコーナー（底面部１２ａと正面側側壁部１２ｃとの境界部位）とに当接するように配置されている。そして、板状部材１４ａおよび下方の管板１１の正面側側壁部１１ｃを貫通するようにビス１４ｂが打ち込まれており、板状部材１４ａおよび上方の管板１２の正面側側壁部１２ｃを貫通するようにビス１４ｃが打ち込まれている。また、上方の管板１２の延長部１２ｄおよび下方の管板１１の背面側側壁部１１ｂを貫通するようにビス１５が打ち込まれている。
【００５７】
さらに、熱交換器１０をより安定させるために、ケーシング６の補強板２９と上方の管板１２の背面側側壁部１２ｂとを貫通するようにビス１６が打ち込まれている。
【００５８】
＜室外ユニットの製造方法＞
次に、図４および図５に示す低容量の室外ユニット２０２から図１および図２に示す高容量の室外ユニット２を製造する方法について説明する。
【００５９】
室外ユニット２０２に含まれる部品のうち室外ユニット２に流用される部品は、６０段の熱交換ユニット１０ａ、下方の管板１１、下方側面板２０ａ，２２ａ、下方背面グリル２３ａ、下方ステー２７ａ、底面板２４、天面板２５、ファン４１ａ，４１ｂなどである。
【００６０】
また、新たに設計される部品は、１２段の熱交換ユニット１０ｂ、上方の管板１２、上方側面板２０ｂ，２２ｂ、側面板２１、上方背面グリル２３ｂ、仕切部材２６、上方ステー２７ｂ、補強板２９、配管アセンブリ４などである。
【００６１】
まず、室外ユニット２０２のケーシング２０６を分割して、ケーシング２０６の内部空間内に収納されている部品にアクセス可能な状態にする。
【００６２】
そして、６０段の熱交換ユニット１０ａの上端部に、新たに用意した１２段の熱交換ユニット１０ｂを積み重ねる。なお、このとき、熱交換ユニット１０ａには既に管板１１が取り付けられており、熱交換ユニット１０ｂには既に管板１２が取り付けられている。そこで、管板１２の延長部１２ｄ，１２ｄを管板１１の内側に挿入することにより、管板１１，１２および熱交換ユニット１０ａ，１０ｂを容易に位置合わせすることができる。その後、熱交換ユニット１０ａ，１０ｂおよび管板１１，１２の連結構造に、補強部材１４およびビス１５による補強を施す。
【００６３】
また、室外ユニット２０２に既設されていた配管アセンブリ（図示せず）を取り外し、新たに用意した室外ユニット２の能力に見合う配管アセンブリ４に付け替える。同様に、室外ユニット２０２に既設されていた送風機室Ｓ１と機械室Ｓ２との仕切部材（図示せず）を取り外し、新たに用意した仕切部材２６に付け替える。
【００６４】
続いて、下方側面板２０ａの上端部に上方側面板２０ｂを取り付け、下方側面板２２ａの上端部に上方側面板２２ｂを取り付け、側面板２２１の代わりとして側面板２１を取り付け、下方ステー２７ａの上端部に上方ステー２７ｂを取り付ける。
【００６５】
次に、下方側面板２２ａおよび上方側面板２２ｂの連結部と、下方側面板２０ａおよび上方側面板２０ｂの連結部との間に補強板２９を取り付ける。また、天面板２５を取り付ける。
【００６６】
そして、補強板２９と熱交換器１０の上方の管板１２とをビス１６により固定する。さらに、下方背面グリル２３ａを補強板２９に取り付け、上方背面グリル２３ｂを天面板２５に取り付ける。
【００６７】
以上により、室外ユニット２が製造される。
【００６８】
＜特徴＞
上記実施形態では、新たに継ぎ足す側の管板１２に、継ぎ足される側の管板１１との位置合わせが容易となるような細工が施されている。すなわち、管板１２に延長部１２ｄ，１２ｄが設けられていることにより、管板１１と管板１２との位置合わせが容易になっている。このため、管板１１に固定されている熱交換ユニット１０ａと管板１２に固定されている熱交換ユニット１０ｂとの位置合わせも容易になっている。
【００６９】
＜変形例＞
以上、本発明の一実施形態について説明したが、本発明は上記実施形態に限定されるものではなく、発明の要旨を逸脱しない範囲で種々の変更が可能である。
【００７０】
（１）
室内ユニットの熱交換器が、継ぎ足し構造となっていてもよい。
【００７１】
（２）
新たに継ぎ足す側の部品１０ｂ，１２，２０ｂ，２２ｂ，２３ｂ，２７ｂが、継ぎ足される側の部品１０ａ，１１，２０ａ，２２ａ，２３ａ，２７ａの下方に配置されるようになっていてもよい。また、新たに継ぎ足す側の部品１０ｂ，１２，２０ｂ，２２ｂ，２３ｂ，２７ｂが、継ぎ足される側の部品１０ａ，１１，２０ａ，２２ａ，２３ａ，２７ａよりも長くてもよい。
【００７２】
また、新たに継ぎ足す側の部品１０ｂ，１２，２０ｂ，２２ｂ，２３ｂ，２７ｂと継ぎ足される側の部品１０ａ，１１，２０ａ，２２ａ，２３ａ，２７ａとの上下方向の位置関係が、部品１０，２０，２２，２３，２７ごとに異なっていてもよい。例えば、１２段の熱交換ユニット１０ｂを６０段の熱交換ユニット１０ａの上方に積み重ね、管板１２を管板１１の上方に取り付け、より短い側面板２０ｂをより長い側面板２０ａの下端部に取り付けてもよい。
【００７３】
（３）
部品１０，２０，２２，２３，２７の継ぎ足し方向が上下方向でなくてもよい。
【００７４】
（４）
熱交換器１０は、３つ以上の熱交換ユニットおよび３つ以上の管板を備える継ぎ足し構造となっていてもよい。同様に、熱交換器１０以外の継ぎ足し構造を有する部品２０，２２，２３，２７についても、３つ以上の同種のパーツから組み立てられるようになっていてもよい。
【００７５】
（５）
新たに継ぎ足す側の管板１２の延長部１２ｄ，１２ｄの内側の面が、それぞれ継ぎ足される側の管板１１の正面側側壁部１１ｃおよび背面側側壁部１１ｂの外側の面に当接するようになっていてもよい。
【産業上の利用可能性】
【００７６】
本発明は、複数の熱交換ユニットと複数の管板とを備える継ぎ足し構造の熱交換器およびこれを備える空調ユニットとして有用であり、継ぎ足し構造の熱交換器の組み立てを容易にすることができるという効果を有する。
【図面の簡単な説明】
【００７７】
【図１】本発明の一実施形態にかかる室外ユニットを正面左側から見た斜視図。
【図２】本発明の一実施形態にかかる室外ユニットを背面右側から見た斜視図。
【図３】本発明の一実施形態にかかる室外ユニットの分解斜視図。
【図４】低容量の室外ユニットを正面左側から見た斜視図。
【図５】低容量の室外ユニットを背面右側から見た斜視図。
【図６】本発明の一実施形態にかかる天面板を取り外した状態の室外ユニットの平面図。
【図７】本発明の一実施形態にかかる底面板上に取り付けられた状態の熱交換器の斜視図。
【図８】上方および下方の熱交換ユニットの連結部分付近の斜視図。
【図９】上方および下方の管板の連結部分付近を管板の内側から見た図。
【符号の説明】
【００７８】
２  室外ユニット（空調ユニット）
６  ケーシング
１０  熱交換器
１０ａ  下方の熱交換ユニット（第１熱交換ユニット）
１０ｂ  上方の熱交換ユニット（第２熱交換ユニット）
１１  下方の管板（第１管板）
１１ａ  底面部（第１底面部）
１１ｂ  背面側側壁部（第１側壁部）
１１ｃ  正面側側壁部（第１側壁部）
１２  上方の管板（第２管板）
１２ａ  底面部（第２底面部）
１２ｂ  背面側側壁部（第２側壁部）
１２ｃ  正面側側壁部（第２側壁部）
１２ｄ  延長部
１３ａ，１３ｂ  伝熱管
１４  補強部材
１４ａ  板状部材（板状部材）
１４ｂ  ビス（第１締結部材）
１４ｃ  ビス（第２締結部材）
１５  ビス（第３締結部材）
１６  ビス（第４締結部材）
【図１】
2008133995.tif 000003
【図２】
2008133995.tif 000004
【図３】
2008133995.tif 000005
【図４】
2008133995.tif 000006
【図５】
2008133995.tif 000007
【図６】
2008133995.tif 000008
【図７】
2008133995.tif 000009
【図８】
2008133995.tif 000010
【図９】
2008133995.tif 000011